【手続補正書】
【提出日】平成19年12月7日(2007.12.7)
【手続補正１】
【補正対象書類名】特許請求の範囲
【補正対象項目名】全文
【補正方法】変更
【補正の内容】
【特許請求の範囲】
【請求項１】
少なくとも、保護基板厚ｔ１の第１光ディスクに対して、第１光源から出射される波長λ１の光束を用いて情報の再生及び／又は記録を行い、保護基板厚ｔ２（０．９×ｔ１≦ｔ２）の第２光ディスクに対して、第２光源から出射される波長λ２（１．５×λ１≦λ２≦１．７×λ１）の光束を用いて情報の再生及び／又は記録を行い、保護基板厚ｔ３（ｔ２＜ｔ３）の第３光ディスクに対して、第３光源から出射される波長λ３（１．８×λ１≦λ３≦２．２×λ１）の光束を用いて情報の再生及び／又は記録を行う光ピックアップ装置用の対物レンズにおいて、
前記対物レンズは、前記各光ディスクに対して情報の再生又は記録を行う際に、それぞれ対応する前記波長λ１、λ２及びλ３の光束が入射して使用され、前記波長λ１の光束に対する前記対物レンズの光学系倍率ｍ１は、
０＜ｍ１≦１／１０
を満たし、前記波長λ３の光束に対する前記対物レンズの光学系倍率ｍ３は、
−１／２０≦ｍ３＜０
を満たすことを特徴とする対物レンズ。
【請求項２】
前記光学系倍率ｍ１は、
０＜ｍ１≦１／１５
を満たすことを特徴とする請求項１に記載の対物レンズ。
【請求項３】
前記光学系倍率ｍ１は、
０＜ｍ１≦１／２０
を満たすことを特徴とする請求項１に記載の対物レンズ。
【請求項４】
前記対物レンズの少なくとも１つの光学面に位相構造が設けられていることを特徴とする請求項１〜３のいずれか一項に記載の対物レンズ。
【請求項５】
前記位相構造が回折構造であることを特徴とする請求項４に記載の対物レンズ。
【請求項６】
前記対物レンズのアッベ数νｄは、
４０≦νｄ≦９０
を満たし、前記回折構造において前記第３光ディスクの記録又は再生には使用しない領域に形成された各輪帯間の光軸に平行な方向の段差量ｄｏｕｔは、
（２ｋ−１）×λ１／（ｎ１−１）≦ｄｏｕｔ＜２ｋ×λ１／（ｎ１−１）
を満たすことを特徴とする請求項５記載の対物レンズ。
ｋ：正の整数
ｎ１：前記波長λ１の光束に対する前記対物レンズの屈折率
【請求項７】
前記段差量ｄｏｕｔは、
５×λ１／（ｎ１−１）≦ｄｏｕｔ＜６×λ１／（ｎ１−１）
を満たすことを特徴とする請求項６に記載の対物レンズ。
【請求項８】
前記第１光源から出射される光束の波長が＋１０ｎｍ変化した光束を入射させた際に、近軸集光位置をＰ０、前記波長λ３の光束の記録及び／又は再生に用いられる第１領域のうち、最も光軸より遠い領域を通過した光束の集光位置をＰ１、前記第１領域より外側に配置される第２領域のうち、最も光軸に近い領域を通過した光束の集光位置をＰ２、最も光軸より遠い領域を通過した光束の集光位置をＰ３とすると、
１．７×１０−３≦｜Ｐ２−Ｐ３｜≦７．０×１０−３
Ｐ０≦Ｐ２≦Ｐ１又はＰ１≦Ｐ２≦Ｐ０
を満たすことを特徴とする請求項６又は７に記載の対物レンズ。
【請求項９】
前記波長λ１の光束で波長が変化した場合に、縦球面収差における前記第１領域内での収差の傾きと、第２領域内での収差の傾きが同方向となっていることを特徴とする請求項６又は７に記載の対物レンズ。
【請求項１０】
前記波長λ３の光束が入射した場合に、前記光学面において前記波長λ３の光束に対する開口数以上の領域を通過した光は、前記第３光ディスク上で集光スポット位置より０．０１ｍｍ以上離れた位置に集光することを特徴とする請求項５に記載の対物レンズ。
【請求項１１】
前記位相構造は、前記波長λ１、λ２及びλ３の光束のうち少なくとも１つの光束に対して正の回折作用を与えることを特徴とする請求項５に記載の対物レンズ。
【請求項１２】
前記第１、第２及び第３光ディスクのうち少なくとも１つの光ディスクに対して、その情報記録面上に形成される集光スポットの波面収差の成分である、温度が上昇した場合の３次の球面収差変化は、正であることを特徴とする請求項１１に記載の対物レンズ。
【請求項１３】
前記位相構造が、前記光学面の前記波長λ２の光束が通過する領域に設けられていることを特徴とする請求項４〜１２のいずれか一項に記載の対物レンズ。
【請求項１４】
前記第１光ディスクの情報記録面上に形成される集光スポットにおける前記波長λ１の光束の波長変化に対する光軸方向の波面収差最小位置変化量ｄｆｂ／ｄλが、
｜ｄｆｂ／ｄλ｜≦０．１［μｍ／ｎｍ］
を満たすことを特徴とする請求項５に記載の対物レンズ。
【請求項１５】
前記第２光ディスクの情報記録面上に形成される集光スポットにおける前記波長λ２の光束の波長変化に対する光軸方向の波面収差最小位置変化量ｄｆｂ／ｄλが、
｜ｄｆｂ／ｄλ｜≦０．２［μｍ／ｎｍ］
を満たすことを特徴とする請求項５に記載の対物レンズ。
【請求項１６】
前記波長λ１の光束に対する前記対物レンズの焦点距離ｆ１が、
０．８ｍｍ≦ｆ１≦４．０ｍｍ
を満たすことを特徴とする請求項１〜１５のいずれか一項に記載の対物レンズ。
【請求項１７】
前記波長λ１の光束に対する前記対物レンズの焦点距離ｆ１が、
１．３ｍｍ≦ｆ１≦２．２ｍｍ
を満たすことを特徴とする請求項１６記載の対物レンズ。
【請求項１８】
前記波長λ３の光束に対する前記対物レンズの前記光ディスク側の開口数ＮＡ３が、
０．４９≦ＮＡ３≦０．５４
を満たすことを特徴とする請求項１〜１７のいずれか一項に記載の対物レンズ。
【請求項１９】
ｔ１＝ｔ２であることを特徴とする請求項１〜１８のいずれか一項に記載の対物レンズ。
【請求項２０】
前記波長λ２の光束に対する前記対物レンズの光学系倍率ｍ２は、
ｍ２＝０
であることを特徴とする請求項１〜１９のいずれか一項に記載の対物レンズ。
【請求項２１】
前記波長λ２の光束に対する前記対物レンズの光学系倍率ｍ２は、
ｍ２＞０
であることを特徴とする請求項１〜１９のいずれか一項に記載の対物レンズ。
【請求項２２】
プラスチック製であることを特徴とする請求項１〜２１のいずれか一項に記載の対物レンズ。
【請求項２３】
少なくとも、保護基板厚ｔ１の第１光ディスクに対して、第１光源から出射される波長λ１の光束を用いて情報の再生及び／又は記録を行い、保護基板厚ｔ２（０．９×ｔ１≦ｔ２）の第２光ディスクに対して、第２光源から出射される波長λ２（１．５×λ１≦λ２≦１．７×λ１）の光束を用いて情報の再生及び／又は記録を行い、保護基板厚ｔ３（ｔ２＜ｔ３）の第３光ディスクに対して、第３光源から出射される波長λ３（１．８×λ１≦λ３≦２．２×λ１）の光束を用いて情報の再生及び／又は記録を行う光ピックアップ装置であって、
請求項１〜２２のいずれか一項に記載の対物レンズを備えることを特徴とする光ピックアップ装置。
【請求項２４】
前記波長λ３の光束の光路上に開口制限素子が配置されることを特徴とする請求項２３に記載の光ピックアップ装置。
【請求項２５】
前記開口制限素子が、液晶素子又は波長選択フィルタであることを特徴とする請求項２４に記載の光ピックアップ装置。
【請求項２６】
前記波長λ１の光束の光路上に、前記波長λ１の光束の色収差を補正する機能を有する色収差補正素子が配置されていることを特徴とする請求項２３記載の光ピックアップ装置。
【請求項２７】
前記第１光ディスクに対して情報の再生又は記録を行う際には、前記第１光ディスクの情報記録面上で反射された前記第１光源からの光束を受光し、前記第２光ディスクに対して情報の再生又は記録を行う際には、前記第２光ディスクの情報記録面上で反射された前記第２光源からの光束を受光するとともに、前記第３光ディスクに対して情報の再生又は記録を行う際には、前記第３光ディスクの情報記録面上で反射された前記第３光源からの光束を受光する光検出器を備えることを特徴とする請求項２３に記載の光ピックアップ装置。
【請求項２８】
前記波長λ１、λ２及びλ３の各光束の共通光路上に、光軸方向に移動可能なカップリングレンズが配置されることを特徴とする請求項２７に記載の光ピックアップ装置。
【請求項２９】
前記カップリングレンズの少なくとも１面には、回折構造が形成されていることを特徴とする請求項２８に記載の光ピックアップ装置。
【請求項３０】
前記第２光源と前記第３光源とが、同一の筐体内に格納されることで１パッケージ化されていることを特徴とする請求項２７〜２９のいずれか一項に記載の光ピックアップ装置。
【請求項３１】
前記第１光ディスクの情報記録面上で反射された前記第１光源からの光束及び前記第２光ディスクの情報記録面上で反射された前記第２光源からの光束を受光する光検出器と、前記第３光ディスクの情報記録面上で反射された前記第３光源からの光束を受光する光検出器とを備えることを特徴とする請求項２３に記載の光ピックアップ装置。
【請求項３２】
前記波長λ１、λ２及びλ３の各光束の共通光路上にカップリングレンズが配置され、当該カップリングレンズの少なくとも１つの光学面に回折構造が設けられていることを特徴とする請求項３１に記載の光ピックアップ装置。
【請求項３３】
前記波長λ１の光束のみが通過する光路中に前記波長λ１の光束に対する色収差補正素子が配置されていることを特徴とする請求項２３記載の光ピックアップ装置。
【請求項３４】
前記カップリングレンズに形成された前記回折構造は、光軸を中心とした同心円状の複数の輪帯で構成され、前記回折構造の光軸を含む断面形状が鋸歯形状であり、前記各輪帯の光軸方向の段差の距離ｄが、
２×λ１／（ｎ１−１）≦ｄ＜３×λ１／（ｎ１−１）
を満たすことを特徴とする請求項３２に記載の光ピックアップ装置。
ｎ１：前記波長λ１の光束に対する前記カップリングレンズの屈折率
【請求項３５】
前記第２光ディスクの情報記録面上で反射された前記第２光源からの光束及び前記第３光ディスクの情報記録面上で反射された前記第３光源からの光束を受光する光検出器と、前記第１光ディスクの情報記録面上で反射された前記第１光源からの光束を受光する光検出器とを備えることを特徴とする請求項２３に記載の光ピックアップ装置。
【請求項３６】
回折構造を有し、前記波長λ２及び波長λ３の光束が通過するように共通化されたカップリングレンズを備えることを特徴とする請求項３５に記載の光ピックアップ装置。
【請求項３７】
前記第２光ディスクの情報記録面上で反射された前記第２光源からの光束及び前記第３光ディスクの情報記録面上で反射された前記第３光源からの光束を受光する光検出器と、前記第２光源と、前記第３光源とが、同一の筐体内に格納されることで１パッケージ化されていることを特徴とする請求項３５又は３６に記載の光ピックアップ装置。
【請求項３８】
前記第１光ディスクの情報記録面上で反射された前記第１光源からの光束を受光する光検出器と、
第２光ディスクの情報記録面上で反射された前記第２光源からの光束を受光する光検出器及び前記第２光源とが１パッケージ化された第１レーザと、
第３光ディスクの情報記録面上で反射された前記第３光源からの光束を受光する光検出器及び前記第３光源とが１パッケージ化された第２レーザとを備えることを特徴とする請求項２３に記載の光ピックアップ装置。
【手続補正２】
【補正対象書類名】明細書
【補正対象項目名】発明の名称
【補正方法】変更
【補正の内容】
【発明の名称】対物レンズ及び光ピックアップ装置
【手続補正３】
【補正対象書類名】明細書
【補正対象項目名】０００１
【補正方法】変更
【補正の内容】
【０００１】
本発明は、対物レンズ及び光ピックアップ装置に関する。
【手続補正４】
【補正対象書類名】明細書
【補正対象項目名】０００６
【補正方法】変更
【補正の内容】
【０００６】
本発明の課題は、上述の問題を考慮したものであり、高密度光ディスクを含む少なくとも３種類の光ディスクに対する情報の再生及び／又は記録に用いられ、トラッキング特性に問題が生じない対物レンズ及び光ピックアップ装置を提供することである。
【手続補正５】
【補正対象書類名】明細書
【補正対象項目名】０００８
【補正方法】変更
【補正の内容】
【０００８】
以上の課題を解決するために、請求項１記載の発明は、少なくとも、保護基板厚ｔ１の第１光ディスクに対して、第１光源から出射される波長λ１の光束を用いて情報の再生及び／又は記録を行い、保護基板厚ｔ２（０．９×ｔ１≦ｔ２）の第２光ディスクに対して、第２光源から出射される波長λ２（１．５×λ１≦λ２≦１．７×λ１）の光束を用いて情報の再生及び／又は記録を行い、保護基板厚ｔ３（ｔ２＜ｔ３）の第３光ディスクに対して、第３光源から出射される波長λ３（１．８×λ１≦λ３≦２．２×λ１）の光束を用いて情報の再生及び／又は記録を行う光ピックアップ装置用の対物レンズにおいて、
前記対物レンズは、前記各光ディスクに対して情報の再生又は記録を行う際に、それぞれ対応する前記波長λ１、λ２及びλ３の光束が入射して使用され、前記波長λ１の光束に対する前記対物レンズの光学系倍率ｍ１は、
０＜ｍ１≦１／１０
を満たし、前記波長λ３の光束に対する前記対物レンズの光学系倍率ｍ３は、
−１／２０≦ｍ３＜０を満たすことを特徴とする。
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】変更
【補正の内容】
【００１０】
請求項２記載の発明は、請求項１に記載の対物レンズにおいて、
前記光学系倍率ｍ１は、
０＜ｍ１≦１／１５
を満たすことを特徴とする。
【手続補正８】
【補正対象書類名】明細書
【補正対象項目名】００１１
【補正方法】削除
【補正の内容】
【手続補正９】
【補正対象書類名】明細書
【補正対象項目名】００１２
【補正方法】変更
【補正の内容】
【００１２】
請求項３記載の発明は、請求項１に記載の対物レンズにおいて、
前記光学系倍率ｍ１は、
０＜ｍ１≦１／２０を満たすことを特徴とする。
【手続補正１０】
【補正対象書類名】明細書
【補正対象項目名】００１３
【補正方法】削除
【補正の内容】
【手続補正１１】
【補正対象書類名】明細書
【補正対象項目名】００１４
【補正方法】削除
【補正の内容】
【手続補正１２】
【補正対象書類名】明細書
【補正対象項目名】００１７
【補正方法】変更
【補正の内容】
【００１７】
請求項１〜３に記載の発明のように、波長λ１の光束を緩い収束光として対物レンズに入射させ、波長λ３の光束を緩い発散光として対物レンズに入射させることにより、例えば、波長λ１の光束を平行光として入射させる場合と比較して、対物レンズの光学系倍率を抑えることができ、トラッキング時の収差の発生量を抑えることが可能となる。
【手続補正１３】
【補正対象書類名】明細書
【補正対象項目名】００１９
【補正方法】変更
【補正の内容】
【００１９】
請求項４記載の発明は、請求項１〜３のいずれか一項に記載の対物レンズにおいて、前記対物レンズの少なくとも１つの光学面に位相構造が設けられていることを特徴とする。
【手続補正１４】
【補正対象書類名】明細書
【補正対象項目名】００２０
【補正方法】変更
【補正の内容】
【００２０】
請求項４記載の発明によれば、対物レンズの少なくとも１つの光学面に位相構造が設けられているので、この位相構造によって第１光ディスクと第２光ディスクとの互換、対物レンズがプラスチックを材料としている場合には材料の屈折率の温度依存性により温度変化時に生じる収差補正、又は最も波長の短い第１光ディスクの色補正等を行うことができる。
【手続補正１５】
【補正対象書類名】明細書
【補正対象項目名】００２１
【補正方法】変更
【補正の内容】
【００２１】
請求項５記載の発明は、請求項４に記載の対物レンズにおいて、前記位相構造が回折構造であることを特徴とする。
【手続補正１６】
【補正対象書類名】明細書
【補正対象項目名】００２２
【補正方法】変更
【補正の内容】
【００２２】
請求項５記載の発明によれば、位相構造が回折構造であるので、第１光ディスクと第２光ディスクとの互換、対物レンズの温度に対する収差補正、又は第１光ディスクの色補正等をより効果的に行うことができる。
【手続補正１７】
【補正対象書類名】明細書
【補正対象項目名】００２３
【補正方法】変更
【補正の内容】
【００２３】
請求項６記載の発明は、請求項５記載の対物レンズにおいて、
前記対物レンズのアッベ数νｄは、
４０≦νｄ≦９０
を満たし、前記回折構造において前記第３光ディスクの記録又は再生には使用しない領域に形成された各輪帯間の光軸に平行な方向の段差量ｄｏｕｔは、
（２ｋ−１）×λ１／（ｎ１−１）≦ｄｏｕｔ＜２ｋ×λ１／（ｎ１−１）
を満たすことを特徴とする。
【手続補正１８】
【補正対象書類名】明細書
【補正対象項目名】００２４
【補正方法】変更
【補正の内容】
【００２４】
請求項６記載の発明によれば、対物レンズのアッベ数νｄが、４０≦νｄ≦９０を満たし、回折構造において第３光ディスクの記録及び／又は再生には使用しない領域に形成された各輪帯間の光軸に平行な方向の段差量ｄｏｕｔが、（２ｋ−１）×λ１／（ｎ１−１）≦ｄｏｕｔ＜２ｋ×λ１／（ｎ１−１）を満たしているので、前記領域を通過した波長λ３の光束は２つ以上の不要回折光に光量が分散され、第３光ディスクのフォーカス信号に強い疑似信号が生じない。したがって、良好に対物レンズのフォーカシングを行うことができる。
【手続補正１９】
【補正対象書類名】明細書
【補正対象項目名】００２５
【補正方法】変更
【補正の内容】
【００２５】
請求項７記載の発明は、請求項６記載の対物レンズにおいて、
前記段差量ｄｏｕｔは、
５×λ１／（ｎ１−１）≦ｄｏｕｔ＜６×λ１／（ｎ１−１）
を満たすことを特徴とする。
【手続補正２０】
【補正対象書類名】明細書
【補正対象項目名】００２６
【補正方法】変更
【補正の内容】
【００２６】
請求項７記載の発明によれば、５×λ１／（ｎ１−１）≦ｄｏｕｔ＜６×λ１／（ｎ１−１）が満たされているので、使用する波長λ１，λ２の光束における回折光は理論上の回折効率が高くなる。
【手続補正２１】
【補正対象書類名】明細書
【補正対象項目名】００２７
【補正方法】変更
【補正の内容】
【００２７】
請求項８記載の発明は、請求項６又は７に記載の対物レンズにおいて、
前記第１光源から出射される光束の波長が＋１０ｎｍ変化した光束を入射させた際に、近軸集光位置をＰ０、前記波長λ３の光束の記録及び／又は再生に用いられる第１領域のうち、最も光軸より遠い領域を通過した光束の集光位置をＰ１、前記第１領域より外側に配置される第２領域のうち、最も光軸に近い領域を通過した光束の集光位置をＰ２、最も光軸より遠い領域を通過した光束の集光位置をＰ３とすると、
１．７×１０−３≦｜Ｐ２−Ｐ３｜≦７．０×１０−３
Ｐ０≦Ｐ２≦Ｐ１又はＰ１≦Ｐ２≦Ｐ０
を満たすことを特徴とする。
【手続補正２２】
【補正対象書類名】明細書
【補正対象項目名】００２８
【補正方法】変更
【補正の内容】
【００２８】
さらに記録・再生信号に悪影響を与えないためには、低い光量ながらも不要回折光が波長λ３の光束の集光スポット位置に集光しないことが望ましい。最も光量の高い２つの回折次数光の集光位置と球面収差のうち、球面収差は第１光ディスクに対する第２光ディスクの光学系倍率から定められる。一方波長特性も第１光ディスクに対する第２光ディスクの光学系倍率より定められるため、球面収差と波長特性の両方の観点から適当な光学系倍率を設定する。
集光位置は対物レンズの色収差により決定される。フレアの集光位置をフォーカス位置より可能な限り離すためには、色収差の絶対値を大きくする必要がある。しかし色収差が大きくなると、回折ピッチが小さくなって効率が低下したり、モードホップ時に記録が不可能となる問題があるため、色収差とフレアの集光位置のバランスを取ることが重要となる。
これらのことから、請求項８記載の発明のように、近軸集光位置をＰ０、波長λ３の光束の記録及び／又は再生に用いられる第１領域のうち、最も光軸より遠い領域を通過した光束の集光位置をＰ１、第１領域より外側に配置される第２領域のうち、最も光軸に近い領域を通過した光束の集光位置をＰ２、最も光軸より遠い領域を通過した光束の集光位置をＰ３とすると、
１．７×１０−３≦｜Ｐ２−Ｐ３｜≦７．０×１０−３
Ｐ０≦Ｐ２≦Ｐ１又はＰ１≦Ｐ２≦Ｐ０
が満たされていれば、波長が短くＮＡが高いため誤差感度が厳しい波長λ１の光束に対して、波長変化時や温度変化時、又はモードホップ時にも波面収差劣化を押さえることができる。また開口数ＮＡ３以上の波長λ３の光束に対して光ディスク上において集光スポットと異なる位置に集光させながら光密度を薄くすることができる。
【手続補正２３】
【補正対象書類名】明細書
【補正対象項目名】００２９
【補正方法】変更
【補正の内容】
【００２９】
請求項９記載の発明は、請求項６又は７に記載の対物レンズにおいて、
前記波長λ１の光束で波長が変化した場合に、縦球面収差における前記第１領域内での収差の傾きと、第２領域内での収差の傾きが同方向となっていることを特徴とする。
【手続補正２４】
【補正対象書類名】明細書
【補正対象項目名】００３０
【補正方法】変更
【補正の内容】
【００３０】
請求項９記載の発明によれば、波長λ１の光束で波長が変化した場合に、縦球面収差における前記第１領域内での収差の傾きと、第２領域内での収差の傾きが同方向となっている。縦球面収差における第１領域内での収差の傾きと第２領域内での収差の傾きとが同方向とは、第１領域において光が通過する光軸からの距離が離れるにつれて光が対物レンズから離れて光軸と交わる場合、第２領域でも光が通過する光軸からの距離が離れるにつれて光が対物レンズから離れて光軸と交わることである。他方、第１領域において光が通過する光軸からの距離が離れるにつれて光が対物レンズから近づいて光軸と交わる場合、第２領域でも光が通過する光軸からの距離が離れるにつれて光が対物レンズに近づいて光軸と交わることでもある。ここで、高次収差は光学素子の組み合わせによって解消することは困難であるが、上述したように第１領域を通過した光束の集光位置の変位方向と、前記第２領域を通過した光束の集光位置の変位方向とが同方向であれば、波長変化時や温度変化時にも波面収差に高次収差を生じさせることなく第３光ディスク側において良好に開口制限を行うことができる。
【手続補正２５】
【補正対象書類名】明細書
【補正対象項目名】００３１
【補正方法】変更
【補正の内容】
【００３１】
請求項１０記載の発明は、請求項５記載の対物レンズにおいて、
前記波長λ３の光束が入射した場合に、前記光学面において前記波長λ３の光束に対する開口数以上の領域を通過した光は、前記第３光ディスク上で集光スポット位置より０．０１ｍｍ以上離れた位置に集光することを特徴とする。
【手続補正２６】
【補正対象書類名】明細書
【補正対象項目名】００３２
【補正方法】変更
【補正の内容】
【００３２】
請求項１０記載の発明によれば、波長λ３の光束が入射した場合に、光学面において波長λ３の光束に対する開口数以上の領域を通過した光は、第３光ディスク上で集光スポット位置より０．０１ｍｍ以上離れた位置に集光しているので、開口数ＮＡ３以上の波長λ３の光束に対して、光ディスク上において波長λ３の記録・再生に問題ない程度に集光スポットから離れた位置に集光させることができ、さらには誤差感度が大きい波長λ１の光束の波長変化、温度変化、モードホップ時の波面収差劣化を抑えることができる。
【手続補正２７】
【補正対象書類名】明細書
【補正対象項目名】００３３
【補正方法】変更
【補正の内容】
【００３３】
請求項１１記載の発明は、請求項５に記載の対物レンズにおいて、前記位相構造は、前記波長λ１、λ２及びλ３の光束のうち少なくとも１つの光束に対して正の回折作用を与えることを特徴とする。
【手続補正２８】
【補正対象書類名】明細書
【補正対象項目名】００３４
【補正方法】変更
【補正の内容】
【００３４】
請求項１１記載の発明によれば、位相構造が、波長λ１、λ２及びλ３の光束のうち少なくとも１つの光束に対して正の回折作用を与えるので、例えば対物レンズがプラスチックを材料としている場合、材料の屈折率の温度依存性により対物レンズの温度に対する収差特性補正が可能となる。
【手続補正２９】
【補正対象書類名】明細書
【補正対象項目名】００３５
【補正方法】変更
【補正の内容】
【００３５】
請求項１２記載の発明は、請求項１１記載の対物レンズにおいて、
前記第１、第２及び第３光ディスクのうち少なくとも１つの光ディスクに対して、その情報記録面上に形成される集光スポットの波面収差の成分である、温度が上昇した場合の３次の球面収差変化は、正であることを特徴としている。
【手続補正３０】
【補正対象書類名】明細書
【補正対象項目名】００３６
【補正方法】変更
【補正の内容】
【００３６】
ここで、長波長変化に対する３次の球面収差変化と、温度上昇に対する３次の球面収差変化との符号が逆方向であれば、通常高温環境ではレーザの発振波長が長くなるため両者が打ち消しあう。さらに完全に打ち消すのではなく、請求項１２のように球面収差変化として正の球面収差を残留させれば、波長変化時も温度変化時も波面収差劣化を抑えることができる。
【手続補正３１】
【補正対象書類名】明細書
【補正対象項目名】００３７
【補正方法】削除
【補正の内容】
【手続補正３２】
【補正対象書類名】明細書
【補正対象項目名】００３８
【補正方法】削除
【補正の内容】
【手続補正３３】
【補正対象書類名】明細書
【補正対象項目名】００３９
【補正方法】変更
【補正の内容】
【００３９】
請求項１３記載の発明は、請求項４〜１２のいずれか一項に記載の対物レンズにおいて、前記位相構造が、前記光学面の前記波長λ２の光束が通過する領域に設けられていることを特徴とする。
【手続補正３４】
【補正対象書類名】明細書
【補正対象項目名】００４０
【補正方法】変更
【補正の内容】
【００４０】
請求項１３記載の発明によれば、光学面の波長λ２の光束が通過する領域に位相構造が設けられているので、第１光ディスクと第２光ディスクとを互換することが可能となる。また、例えば第１光ディスクと第２光ディスクとの有効径がほぼおなじＨＤとＤＶＤとの場合には、第１光ディスクの色補正も可能となる。
【手続補正３５】
【補正対象書類名】明細書
【補正対象項目名】００４１
【補正方法】削除
【補正の内容】
【手続補正３６】
【補正対象書類名】明細書
【補正対象項目名】００４２
【補正方法】削除
【補正の内容】
【手続補正３７】
【補正対象書類名】明細書
【補正対象項目名】００４３
【補正方法】削除
【補正の内容】
【手続補正３８】
【補正対象書類名】明細書
【補正対象項目名】００４４
【補正方法】変更
【補正の内容】
【００４４】
請求項１４記載の発明は、請求項５に記載の対物レンズにおいて、前記第１光ディスクの情報記録面上に形成される集光スポットにおける前記波長λ１の光束の波長変化に対する光軸方向の波面収差最小位置変化量ｄｆｂ／ｄλが、
｜ｄｆｂ／ｄλ｜≦０．１［μｍ／ｎｍ］
を満たすことを特徴とする。
【手続補正３９】
【補正対象書類名】明細書
【補正対象項目名】００４５
【補正方法】変更
【補正の内容】
【００４５】
請求項１５記載の発明は、請求項５に記載の対物レンズにおいて、前記第２光ディスクの情報記録面上に形成される集光スポットにおける前記波長λ２の光束の波長変化に対する光軸方向の波面収差最小位置変化量ｄｆｂ／ｄλが、
｜ｄｆｂ／ｄλ｜≦０．２［μｍ／ｎｍ］
を満たすことを特徴とする。
【手続補正４０】
【補正対象書類名】明細書
【補正対象項目名】００４６
【補正方法】削除
【補正の内容】
【手続補正４１】
【補正対象書類名】明細書
【補正対象項目名】００４７
【補正方法】削除
【補正の内容】
【手続補正４２】
【補正対象書類名】明細書
【補正対象項目名】００４８
【補正方法】削除
【補正の内容】
【手続補正４３】
【補正対象書類名】明細書
【補正対象項目名】００４９
【補正方法】変更
【補正の内容】
【００４９】
請求項１６記載の発明は、請求項１〜１５のいずれか一項に記載の対物レンズにおいて、前記波長λ１の光束に対する前記対物レンズの焦点距離ｆ１が、０．８ｍｍ≦ｆ１≦４．０ｍｍを満たすことを特徴とする。
【手続補正４４】
【補正対象書類名】明細書
【補正対象項目名】００５０
【補正方法】変更
【補正の内容】
【００５０】
請求項１７記載の発明は、請求項１６記載の対物レンズにおいて、
前記波長λ１の光束に対する前記対物レンズの焦点距離ｆ１が、
１．３ｍｍ≦ｆ１≦２．２ｍｍを満たすことを特徴とする。
【手続補正４５】
【補正対象書類名】明細書
【補正対象項目名】００５１
【補正方法】変更
【補正の内容】
【００５１】
請求項１８記載の発明は、請求項１〜１７のいずれか一項に記載の対物レンズにおいて、前記波長λ３の光束に対する前記対物レンズの前記光ディスク側の開口数ＮＡ３が、０．４９≦ＮＡ３≦０．５４を満たすことを特徴とする。
【手続補正４６】
【補正対象書類名】明細書
【補正対象項目名】００５２
【補正方法】変更
【補正の内容】
【００５２】
請求項１９記載の発明は、請求項１〜１８のいずれか一項に記載の対物レンズにおいて、ｔ１＝ｔ２であることを特徴とする。
【手続補正４７】
【補正対象書類名】明細書
【補正対象項目名】００５３
【補正方法】変更
【補正の内容】
【００５３】
請求項２０記載の発明は、請求項１〜１９のいずれか一項に記載の対物レンズにおいて、前記波長λ２の光束に対する前記対物レンズの光学系倍率ｍ２は、ｍ２＝０であることを特徴とする。
【手続補正４８】
【補正対象書類名】明細書
【補正対象項目名】００５４
【補正方法】変更
【補正の内容】
【００５４】
請求項２０記載の発明によれば、波長λ２の光束に対する対物レンズの光学系倍率ｍ２がｍ２＝０であるので、ＮＡの高い第２光ディスクに対して対物レンズに平行光が入射するため、トラッキング時にコマ収差が生じない。
【手続補正４９】
【補正対象書類名】明細書
【補正対象項目名】００５５
【補正方法】変更
【補正の内容】
【００５５】
請求項２１記載の発明は、請求項１〜１９のいずれか一項に記載の対物レンズにおいて、
前記波長λ２の光束に対する前記対物レンズの光学系倍率ｍ２は、
ｍ２＞０であることを特徴とする。
請求項２２記載の発明は、請求項１〜２１のいずれか一項に記載の対物レンズにおいて、プラスチック製であることを特徴とする。
【手続補正５０】
【補正対象書類名】明細書
【補正対象項目名】００５６
【補正方法】削除
【補正の内容】
【手続補正５１】
【補正対象書類名】明細書
【補正対象項目名】００５７
【補正方法】削除
【補正の内容】
【手続補正５２】
【補正対象書類名】明細書
【補正対象項目名】００５８
【補正方法】削除
【補正の内容】
【手続補正５３】
【補正対象書類名】明細書
【補正対象項目名】００５９
【補正方法】変更
【補正の内容】
【００５９】
請求項２３記載の発明は、
少なくとも、保護基板厚ｔ１の第１光ディスクに対して、第１光源から出射される波長λ１の光束を用いて情報の再生及び／又は記録を行い、保護基板厚ｔ２（０．９×ｔ１≦ｔ２）の第２光ディスクに対して、第２光源から出射される波長λ２（１．５×λ１≦λ２≦１．７×λ１）の光束を用いて情報の再生及び／又は記録を行い、保護基板厚ｔ３（ｔ２＜ｔ３）の第３光ディスクに対して、第３光源から出射される波長λ３（１．８×λ１≦λ３≦２．２×λ１）の光束を用いて情報の再生及び／又は記録を行う光ピックアップ装置であって、  請求項１〜２２のいずれか一項に記載の対物レンズを備えることを特徴とする。
【手続補正５４】
【補正対象書類名】明細書
【補正対象項目名】００６０
【補正方法】変更
【補正の内容】
【００６０】
請求項２４記載の発明は、請求項２３記載の光ピックアップ装置において、
前記波長λ３の光束の光路上に開口制限素子が配置されることを特徴とする。
【手続補正５５】
【補正対象書類名】明細書
【補正対象項目名】００６１
【補正方法】変更
【補正の内容】
【００６１】
請求項２５記載の発明は、請求項２４記載の光ピックアップ装置において、
前記開口制限素子が、液晶素子又は波長選択フィルタであることを特徴とする。
【手続補正５６】
【補正対象書類名】明細書
【補正対象項目名】００６２
【補正方法】変更
【補正の内容】
【００６２】
請求項２６記載の発明は、請求項２３記載の光ピックアップ装置において、
前記波長λ１の光束の光路上に、前記波長λ１の光束の色収差を補正する機能を有する色収差補正素子が配置されていることを特徴とする。
【手続補正５７】
【補正対象書類名】明細書
【補正対象項目名】００６３
【補正方法】変更
【補正の内容】
【００６３】
請求項２７記載の発明は、請求項２３に記載の光ピックアップ装置において、前記第１光ディスクに対して情報の再生又は記録を行う際には、前記第１光ディスクの情報記録面上で反射された前記第１光源からの光束を受光し、前記第２光ディスクに対して情報の再生又は記録を行う際には、前記第２光ディスクの情報記録面上で反射された前記第２光源からの光束を受光するとともに、前記第３光ディスクに対して情報の再生又は記録を行う際には、前記第３光ディスクの情報記録面上で反射された前記第３光源からの光束を受光する光検出器を備えることを特徴とする。
【手続補正５８】
【補正対象書類名】明細書
【補正対象項目名】００６４
【補正方法】変更
【補正の内容】
【００６４】
請求項２８記載の発明は、請求項２７に記載の光ピックアップ装置において、前記波長λ１、λ２及びλ３の各光束の共通光路上に、光軸方向に移動可能なカップリングレンズが配置されることを特徴とする。
【手続補正５９】
【補正対象書類名】明細書
【補正対象項目名】００６５
【補正方法】変更
【補正の内容】
【００６５】
ここで、対物レンズの倍率は３つの波長に対して全て異なるが、請求項２８記載の発明のように、カップリングレンズを波長λ１、λ２及びλ３の各光束の共通光路上に配置させて、カップリングレンズを移動させて３つの波長に対して対物レンズとカップリングレンズとを組み合わせた光学系の共役長を揃えていれば、３つの波長に対してセンサを共通化したり複数の光源を１パッケージ化したレーザを使用することができる。カップリングレンズは単レンズ、複数レンズのいずれでも良く、複数レンズの場合そのうち１枚だけが移動する場合もあれば複数が同時に移動する場合も想定される。
【手続補正６０】
【補正対象書類名】明細書
【補正対象項目名】００６６
【補正方法】削除
【補正の内容】
【手続補正６１】
【補正対象書類名】明細書
【補正対象項目名】００６７
【補正方法】削除
【補正の内容】
【手続補正６２】
【補正対象書類名】明細書
【補正対象項目名】００６８
【補正方法】変更
【補正の内容】
【００６８】
請求項２９記載の発明は、請求項２８記載の光ピックアップ装置において、前記カップリングレンズの少なくとも１面には、回折構造が形成されていることを特徴とする。
【手続補正６３】
【補正対象書類名】明細書
【補正対象項目名】００６９
【補正方法】変更
【補正の内容】
【００６９】
請求項２９記載の発明によれば、カップリングレンズの少なくとも１面に回折構造が形成されているので、回折作用を用いて波長λ１の光束に対する色収差や温度変化時に生じる波面収差劣化を抑えることができる。
【手続補正６４】
【補正対象書類名】明細書
【補正対象項目名】００７０
【補正方法】削除
【補正の内容】
【手続補正６５】
【補正対象書類名】明細書
【補正対象項目名】００７１
【補正方法】削除
【補正の内容】
【手続補正６６】
【補正対象書類名】明細書
【補正対象項目名】００７２
【補正方法】変更
【補正の内容】
【００７２】
請求項３０記載の発明は、請求項２７〜２９のいずれか一項に記載の光ピックアップ装置において、前記第２光源と前記第３光源とが、同一の筐体内に格納されることで１パッケージ化されていることを特徴とする。
【手続補正６７】
【補正対象書類名】明細書
【補正対象項目名】００７３
【補正方法】変更
【補正の内容】
【００７３】
請求項３１記載の発明は、請求項２３に記載の光ピックアップ装置において、前記第１光ディスクの情報記録面上で反射された前記第１光源からの光束及び前記第２光ディスクの情報記録面上で反射された前記第２光源からの光束を受光する光検出器と、前記第３光ディスクの情報記録面上で反射された前記第３光源からの光束を受光する光検出器とを備えることを特徴とする。
【手続補正６８】
【補正対象書類名】明細書
【補正対象項目名】００７４
【補正方法】変更
【補正の内容】
【００７４】
請求項３２記載の発明は、請求項３１に記載の光ピックアップ装置において、前記波長λ１、λ２及びλ３の各光束の共通光路上にカップリングレンズが配置され、当該カップリングレンズの少なくとも１つの光学面に回折構造が設けられていることを特徴とする。
【手続補正６９】
【補正対象書類名】明細書
【補正対象項目名】００７５
【補正方法】変更
【補正の内容】
【００７５】
請求項３２記載の発明によれば、波長λ１、λ２及びλ３の各光束の共通光路上にカップリングレンズが配置され、当該カップリングレンズの少なくとも１つの光学面に回折構造が設けられているので、この回折構造により波長λ１，λ２の光束に対するセンサを共通化することができる。また、回折構造は同時に波長λ１の色収差補正を行うことも可能である。回折構造は１面又は複数の面に形成されていてもよい。波長λ３の光もカップリングレンズを通過するように構成すれば光学系全体の部品数の削減につながる。
【手続補正７０】
【補正対象書類名】明細書
【補正対象項目名】００７６
【補正方法】削除
【補正の内容】
【手続補正７１】
【補正対象書類名】明細書
【補正対象項目名】００７７
【補正方法】変更
【補正の内容】
【００７７】
請求項３３記載の発明は、請求項２３記載の光ピックアップ装置において、
前記波長λ１の光束のみが通過する光路中に前記波長λ１の光束に対する色収差補正素子が配置されていることを特徴とする。
【手続補正７２】
【補正対象書類名】明細書
【補正対象項目名】００７８
【補正方法】削除
【補正の内容】
【手続補正７３】
【補正対象書類名】明細書
【補正対象項目名】００７９
【補正方法】削除
【補正の内容】
【手続補正７４】
【補正対象書類名】明細書
【補正対象項目名】００８０
【補正方法】削除
【補正の内容】
【手続補正７５】
【補正対象書類名】明細書
【補正対象項目名】００８１
【補正方法】削除
【補正の内容】
【手続補正７６】
【補正対象書類名】明細書
【補正対象項目名】００８２
【補正方法】削除
【補正の内容】
【手続補正７７】
【補正対象書類名】明細書
【補正対象項目名】００８３
【補正方法】削除
【補正の内容】
【手続補正７８】
【補正対象書類名】明細書
【補正対象項目名】００８４
【補正方法】削除
【補正の内容】
【手続補正７９】
【補正対象書類名】明細書
【補正対象項目名】００８５
【補正方法】変更
【補正の内容】
【００８５】
請求項３４記載の発明は、請求項３２に記載の光ピックアップ装置において、前記カップリングレンズに形成された前記回折構造は、光軸を中心とした同心円状の複数の輪帯で構成され、前記回折構造の光軸を含む断面形状が鋸歯形状であり、前記各輪帯の光軸方向の段差の距離ｄが、
２×λ１／（ｎ１−１）≦ｄ＜３×λ１／（ｎ１−１）
を満たすことを特徴とする。
ｎ１：前記波長λ１の光束に対する前記カップリングレンズの屈折率
【手続補正８０】
【補正対象書類名】明細書
【補正対象項目名】００８６
【補正方法】削除
【補正の内容】
【手続補正８１】
【補正対象書類名】明細書
【補正対象項目名】００８７
【補正方法】削除
【補正の内容】
【手続補正８２】
【補正対象書類名】明細書
【補正対象項目名】００８８
【補正方法】削除
【補正の内容】
【手続補正８３】
【補正対象書類名】明細書
【補正対象項目名】００８９
【補正方法】削除
【補正の内容】
【手続補正８４】
【補正対象書類名】明細書
【補正対象項目名】００９０
【補正方法】削除
【補正の内容】
【手続補正８５】
【補正対象書類名】明細書
【補正対象項目名】００９１
【補正方法】変更
【補正の内容】
【００９１】
請求項３５記載の発明は、請求項２３に記載の光ピックアップ装置において、前記第２光ディスクの情報記録面上で反射された前記第２光源からの光束及び前記第３光ディスクの情報記録面上で反射された前記第３光源からの光束を受光する光検出器と、前記第１光ディスクの情報記録面上で反射された前記第１光源からの光束を受光する光検出器とを備えることを特徴とする。
【手続補正８６】
【補正対象書類名】明細書
【補正対象項目名】００９２
【補正方法】変更
【補正の内容】
【００９２】
請求項３６記載の発明は、請求項３５に記載の光ピックアップ装置において、回折構造を有し、前記波長λ２及び波長λ３の光束が通過するように共通化されたカップリングレンズを備えることを特徴とする。
【手続補正８７】
【補正対象書類名】明細書
【補正対象項目名】００９３
【補正方法】変更
【補正の内容】
【００９３】
請求項３６記載の発明によれば、回折構造を有し、波長λ２及び波長λ３の光束が通過するように共通化されたカップリングレンズが備えられているので、カップリングレンズに設けられた回折構造により波長λ１，λ２の光束に対する対物レンズとカップリングレンズを組み合わせた光学系の共役長を揃えることで波長λ１，λ２の光束に対するセンサを共通化することができる。波長λ１の光束に対しては個別のカップリングレンズを使用すれば全光学系の倍率を自由に設定可能となり、前記波長λ１，λ３の光束に共通のカップリングレンズを使用すればピックアップ装置の部品削減につながる。
【手続補正８８】
【補正対象書類名】明細書
【補正対象項目名】００９４
【補正方法】変更
【補正の内容】
【００９４】
請求項３７記載の発明は、請求項３５又は３６に記載の光ピックアップ装置において、
前記第２光ディスクの情報記録面上で反射された前記第２光源からの光束及び前記第３光ディスクの情報記録面上で反射された前記第３光源からの光束を受光する光検出器と、前記第２光源と、前記第３光源とが、同一の筐体内に格納されることで１パッケージ化されていることを特徴とする。
【手続補正８９】
【補正対象書類名】明細書
【補正対象項目名】００９５
【補正方法】変更
【補正の内容】
【００９５】
請求項３８記載の発明は、請求項２３記載の光ピックアップ装置において、
前記第１光ディスクの情報記録面上で反射された前記第１光源からの光束を受光する光検出器と、
第２光ディスクの情報記録面上で反射された前記第２光源からの光束を受光する光検出器及び前記第２光源とが１パッケージ化された第１レーザと、
第３光ディスクの情報記録面上で反射された前記第３光源からの光束を受光する光検出器及び前記第３光源とが１パッケージ化された第２レーザとを備えることを特徴とする。
【手続補正９０】
【補正対象書類名】明細書
【補正対象項目名】００９６
【補正方法】変更
【補正の内容】
【００９６】
請求項３８記載の発明によれば、第２光ディスクの情報記録面上で反射された前記第２光源からの光束を受光する光検出器及び第２光源とが１パッケージ化された第１レーザと、第３光ディスクの情報記録面上で反射された前記第３光源からの光束を受光する光検出器及び第３光源とが１パッケージ化された第２レーザとが備えられているので、３つの波長の光束に大してカップリングレンズと対物レンズとを組み合わせた共役長が異なる場合でも、少ない部品数でピックアップ光学系を構成することができる。
【手続補正９１】
【補正対象書類名】明細書
【補正対象項目名】００９７
【補正方法】削除
【補正の内容】
【手続補正９２】
【補正対象書類名】明細書
【補正対象項目名】００９８
【補正方法】削除
【補正の内容】
【手続補正９３】
【補正対象書類名】明細書
【補正対象項目名】００９９
【補正方法】削除
【補正の内容】
【手続補正９４】
【補正対象書類名】明細書
【補正対象項目名】０１００
【補正方法】削除
【補正の内容】
【手続補正９５】
【補正対象書類名】明細書
【補正対象項目名】０１０１
【補正方法】削除
【補正の内容】
【手続補正９６】
【補正対象書類名】明細書
【補正対象項目名】０１０２
【補正方法】削除
【補正の内容】
【手続補正９７】
【補正対象書類名】明細書
【補正対象項目名】０１０３
【補正方法】削除
【補正の内容】
【手続補正９８】
【補正対象書類名】明細書
【補正対象項目名】０１０４
【補正方法】削除
【補正の内容】
【手続補正９９】
【補正対象書類名】明細書
【補正対象項目名】０１０５
【補正方法】削除
【補正の内容】
【手続補正１００】
【補正対象書類名】明細書
【補正対象項目名】０１０６
【補正方法】削除
【補正の内容】
【手続補正１０１】
【補正対象書類名】明細書
【補正対象項目名】０１０７
【補正方法】削除
【補正の内容】